(57)【要約】【課題】  キャスターを含めた脚部構成の全てが糊付機本体の直下領域内に収納可能である壁紙糊付機脚部構造を得る。【解決手段】シート状壁装材の裏面に糊を塗布する糊付機本体と、糊付機本体下部に各々配される一対の主脚部とを備えた壁紙糊付機において、糊付機本体の下面側へ折り畳んだ収納状態と開脚状態との間で一対の主脚部が各々の主回動軸を中心にして互いに倒れ込む方向に回動可能に糊付機本体の左右両端下部に連結される主脚部回動手段と、一対の主脚部の下端部の各々に設けられたキャスター車輪を回動自在に支持する一対のキャスター支持部と、糊付機本体の下面側から垂下立設させた開脚状態に糊付機本体の前後幅に対して突出して配されたキャスター支持部の前後端部を主脚部を糊付機本体の下面側へ折り畳んだ収納状態に糊付機本体の下方領域内に収納させるキャスター支持部収納手段と備える。【選択図】      図１
2010274474.tif 000002
【特許請求の範囲】
【請求項１】
後部から引き入れられたシート状壁装材を前部に引き出す際に前記壁装材の裏面に糊を塗布する糊付機本体と、前記糊付機本体下部に各々配される一対の主脚部とを備えた壁紙糊付機において、
糊付機本体の下面側へ折り畳んだ収納状態と糊付機本体の下面側から垂下立設させた開脚状態との間で、前記一対の主脚部が各々の主回動軸を中心にして互いに倒れ込む方向に回動可能に糊付機本体の左右両端下部に連結される主脚部回動手段と、
一対の主脚部の下端部の各々に設けられた少なくとも２つのキャスター車輪を回動自在に支持する一対のキャスター支持部と、
糊付機本体の下面側から垂下立設させた開脚状態に前記糊付機本体の前後幅に対して突出して配された前記キャスター支持部の前後端部を、主脚部を糊付機本体の下面側へ折り畳んだ収納状態に前記糊付機本体の下方領域内に収納させるキャスター支持部収納手段と備えたことを特徴とする壁紙糊付機脚部構造。
【請求項２】
前記キャスター支持部収納手段が、
一対のキャスター支持部の各々を一対の主脚部の折り畳み方向に対して直行する面内を回転自在に軸支する支持部軸心と、
主脚部を糊付機本体の下面側へ折り畳んだ収納状態と、糊付機本体の下面側から垂下立設させた開脚状態との間で、前記キャスター支持部を主脚部に対して前記支持部軸心を中心にして対向して略１／４回転させる支持部回転手段と、
前記収納状態と開脚状態とのキャスター支持部を主脚部に対して回動不能に固定するロック手段とを備えたことを特徴とする請求項１に記載の壁紙糊付脚部構造。
【請求項３】
前記支持部回転手段が、
前記主脚部と糊付機下部構体との主回動軸と相違する位置に設けられた作用軸に一端部が支持され、この作用軸を中心に主脚部に沿って前記収納状態と開脚状態との間を回動する回動フレームと、
前記回動フレームの他端部が前記キャスター支持部の支持部軸心から離れた位置に軸支され、前記支持部の回動に伴って前記支持部軸心を中心にして対向して略１／４回転させる回動フレーム軸心とを備えたことを特徴とする請求項２に記載の壁紙糊付機脚部構造。
【請求項４】
前記主脚部回動手段が、
前記主脚部に掛止して主脚部の回動を阻止する１つのストッパーと、
前記主脚部に掛止して主脚部の回動を阻止する掛止位置と前記主脚部に係合しない解除位置との間でのみストッパーを動作可能とするストッパーガイドと、
前記ストッパーを掛止位置へ付勢する付勢手段とを備え、
前記主脚部が、前記ストッパーに対して収納状態で掛止される第１被掛止部と、開脚状態で掛止される第２被掛止部とを備えたことを特徴とする請求項２又は３に記載の壁紙糊付機脚部構造。
【請求項５】
前記主脚部と糊付機下部構体との一対の主回動軸が、糊付機の左右の側板の下部に設けられ、
前記一対の主回動部の各々の前後部に前記主回動部の形成された高さ位置よりも低く収納状態に床面と接触する接地部が形成されていることを特徴とする請求項１〜４の何れか１項に記載の壁紙糊付機脚部構造。
【発明の詳細な説明】
【技術分野】
【０００１】
本発明は、壁紙糊付機の脚部構造に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。この壁紙糊付機の一般的な構成としては、内部に複数のロールが配置された上部構体及び下部構体から主に構成される糊付機本体を脚部に支持された台座上に載置し、上下構体の間に挟み込んだシート状壁装材（以下、クロスと記す）をロールで搬送しながら糊タンク内に軸支されている糊掻上げロールで糊タンクから糊をすくい上げて糊付けロールに転写し、この糊付けロールによりクロス裏面に塗付していくものである。
【０００３】
壁紙糊付機には手動式と自動式があり、具体的な構成の一例としては、下部構体上に原反ロールから繰り出したクロスを先端部が本体前面に垂れる状態で載置して上部構体を閉じて下部構体と上部構体の所定ロール間にクロスを挟み込んだ状態において、手動式装置ではクロス先端を作業者が手で持って前方へ引っ張ることによりロールの一部を追従回転させると共に他のロールをギアを介して連動回転させるものであり、自動式装置では所定のロールの軸を電動モータ等の駆動源に連結して回転させることによって他のロールもギアを介して連動回転するものが一般的である。何れの糊付機もロールの回転でクロスを糊付機本体の後面から前面側へ搬送させる途中で糊タンク内から引き上げられて転写された糊を、糊付ロールの頂点近傍にて該ロールからクロス裏面に糊が転写され、糊塗布済み状態でクロスが前面から送り出されてくるという構成である。
【０００４】
このような壁紙糊付機においては、上部構体と下部構体とからなる糊付機本体と、脚部を備えた台座部とが分離可能（例えば、特許文献１参照）であるため、脚部のキャスターによる搬送が行えない場合には、壁紙糊付現場には糊付機本体と台座部とを一体として、２名以上の作業者によって左右の両側部の各々を持って運ばれるか、糊付機本体と台座部とを分離して各々を１名以上の作業者によって持って運ばれる。
【先行技術文献】
【特許文献】
【０００５】
【特許文献１】特開２００５−３４２９９０号公報
【発明の概要】
【発明が解決しようとする課題】
【０００６】
糊付機本体と台座部とを分離可能とするために、脚部を備えた台座部は、その台座部自体を頑丈な作りにしなければならず、その結果、糊付機本体と台座部とを一体とした状態での重量は、１名の作業者が持ち運ぶには負担が重く、安全性を考慮して少なくとも２名の作業者で行うのが常であった。
【０００７】
ところで、壁紙糊付機において、糊付作業時には脚部が不要となることは殆どない。何故ならば、クロスは原反ロールから繰り出される必要があり、脚部に原反ロールを支持する支持機構を備えているため、糊付作業現場においては殆どの場合、脚部を立設して用いる。このため、脚部を備えた状態で軽量化を図るには、台座部を廃止し、脚部を直接下部構体に付加する構成とする。そのような構成の場合には、脚部が折り畳まれた状態においては、キャスターを含めた脚部構成の全てが壁紙糊付機本体の直下領域内に収納されるべきである。
【０００８】
本発明は、キャスターを含めた脚部構成の全てが糊付機本体の直下領域内に収納可能である壁紙糊付機脚部構造を得ることを目的とする。更に、折り畳み時にはキャスターを支持するキャスター支持部の長手方向が脚部の長手方向に揃い、立脚時にはキャスター支持部が回動して糊付機本体に対して立設するように回動する機構を備えた壁紙糊付機脚部構造を得ることを目的とする。
【課題を解決するための手段】
【０００９】
請求項１に記載された発明に係る壁紙糊付機脚部構造は、後部から引き入れられたシート状壁装材を前部に引き出す際に前記壁装材の裏面に糊を塗布する糊付機本体と、前記糊付機本体下部に各々配される一対の主脚部とを備えた壁紙糊付機において、
糊付機本体の下面側へ折り畳んだ収納状態と糊付機本体の下面側から垂下立設させた開脚状態との間で、前記一対の主脚部が各々の主回動軸を中心にして互いに倒れ込む方向に回動可能に糊付機本体の左右両端下部に連結される主脚部回動手段と、
一対の主脚部の下端部の各々に設けられた少なくとも２つのキャスター車輪を回動自在に支持する一対のキャスター支持部と、
糊付機本体の下面側から垂下立設させた開脚状態に前記糊付機本体の前後幅に対して突出して配された前記キャスター支持部の前後端部を、主脚部を糊付機本体の下面側へ折り畳んだ収納状態に前記糊付機本体の下方領域内に収納させるキャスター支持部収納手段と備えたものである。
【００１０】
請求項２に記載された発明に係る壁紙糊付機脚部構造は、
請求項１に記載のキャスター支持部収納手段が、
一対のキャスター支持部の各々を一対の主脚部の折り畳み方向に対して直行する面内を回転自在に軸支する支持部軸心と、
主脚部を糊付機本体の下面側へ折り畳んだ収納状態と、糊付機本体の下面側から垂下立設させた開脚状態との間で、前記キャスター支持部を主脚部に対して前記支持部軸心を中心にして対向して略１／４回転させる支持部回転手段と、
前記収納状態と開脚状態とのキャスター支持部を主脚部に対して回動不能に固定するロック手段とを備えたものである。
【００１１】
請求項３に記載された発明に係る壁紙糊付機脚部構造は、
請求項２に係る支持部回転手段が、
前記主脚部と糊付機下部構体との主回動軸と相違する位置に設けられた作用軸に一端部が支持され、この作用軸を中心に主脚部に沿って前記収納状態と開脚状態との間を回動する回動フレームと、
前記回動フレームの他端部が前記キャスター支持部の支持部軸心から離れた位置に軸支され、前記支持部の回動に伴って前記支持部軸心を中心にして対向して略１／４回転させる回動フレーム軸心とを備えたことを特徴とするものである。
【００１２】
請求項４に記載された発明に係る壁紙糊付機脚部構造は、請求項２又は３に記載の主脚部回動手段が、
前記主脚部に掛止して主脚部の回動を阻止する１つのストッパーと、
前記主脚部に掛止して主脚部の回動を阻止する掛止位置と前記主脚部に係合しない解除位置との間でのみストッパーを動作可能とするストッパーガイドと、
前記ストッパーを掛止位置へ付勢する付勢手段とを備え、
前記主脚部が、前記ストッパーに対して収納状態で掛止される第１被掛止部と、開脚状態で掛止される第２被掛止部とを備えたことを特徴とするものである。
【００１３】
請求項５に記載された発明に係る壁紙糊付機脚部構造は、請求項１〜４の何れか１項に記載の主脚部と糊付機下部構体との一対の主回動軸が、糊付機の左右の側板の下部に設けられ、
前記一対の主回動部の各々の前後部に前記主回動部の形成された高さ位置よりも低く収納状態に床面と接触する接地部が形成されていることを特徴とするものである。
【発明の効果】
【００１４】
本発明は、キャスターを含めた脚部構成の全てが糊付機本体の直下領域内に収納可能である壁紙糊付機脚部構造を得ることができる効果がある。更に、折り畳み時にはキャスターを支持するキャスター支持部の長手方向が脚部の長手方向に揃い、立脚時にはキャスター支持部が回動して糊付機本体に対して立設するように回動する機構を備えた壁紙糊付機脚部構造を得ることができる効果がある。
【図面の簡単な説明】
【００１５】
【図１】本発明の一実施例の脚部構造を備えた壁紙糊付機の側方構成を示す説明図である。
【図２】図１の壁紙糊付機の本体部の側方構成を示す説明図である。
【図３】図１の壁紙糊付機の斜視図である。
【図４】図１の壁紙糊付機の別の方向からの斜視図である。
【図５】脚部の構成を説明する正面図であり、破線円部の拡大図を含む。
【図６】開脚及び収納時のキャスター支持部の挙動を示す説明図であり、ａ図は開脚時の主脚部とキャスター支持部との状態、ｂ図は収納時の主脚部とキャスター支持部との状態を示す。
【図７】他の支持構造を示す説明図である。
【図８】更に他の支持構造を示す説明図であり、ａ図は主脚部の正面図、ｂ図はキャスター支持部の水平断面図である。
【発明を実施するための形態】
【００１６】
本発明は、後部から引き入れられたシート状壁装材を前部に引き出す際に前記壁装材の裏面に糊を塗布する糊付機本体と、前記糊付機本体下部に各々配される一対の主脚部と、を備えた壁紙糊付機において、糊付機本体の下面側へ折り畳んだ収納状態と糊付機本体の下面側から垂下立設させた開脚状態との間で、前記一対の主脚部が各々の主回動軸を中心にして互いに倒れ込む方向に回動可能に糊付機本体の左右両端下部に連結される主脚部回動手段と、一対の主脚部の下端部の各々に設けられた少なくとも２つのキャスター車輪を回動自在に支持する一対のキャスター支持部と、糊付機本体の下面側から垂下立設させた開脚状態に前記糊付機本体の前後幅に対して突出して配された前記キャスター支持部の前後端部を、主脚部を糊付機本体の下面側へ折り畳んだ収納状態に前記糊付機本体の下方領域内に収納させるキャスター支持部収納手段とを備える。
【００１７】
これにより、キャスターを含めた脚部構成の全てが糊付機本体の直下領域内に収納可能な壁紙糊付機脚部構造を得ることができる。これにより、例えば、作業現場への移送の際に積荷面積が小さくなる利点がある。
【００１８】
本発明の壁紙糊付機は、後部から引き入れられたシート状壁装材を前部に引き出す際に前記壁装材の裏面に糊を塗布する糊付機本体と、前記糊付機本体下部に各々配される一対の主脚部とを備えるものであればよい。主脚部は糊付機本体に直接取付けられる構成としてもよく、糊付機本体と台座部とが分離可能な台座部に取付けられる構成であってもよい。好ましくは、台座部を廃止して糊付機の下部構体に直接設けられることにより、軽量化することができる。
【００１９】
本発明の壁紙糊付機の脚部は、左右で一対の主脚部と、これら主脚部の各々の下端部に設けられたキャスター支持部と、キャスター支持部の各々に設けられたキャスター車輪とを備える。キャスター車輪１つのキャスター支持部に対して少なくとも２つ備え、開脚状態では糊付機の前後になるように配され、左右の少なくとも２つのキャスター車輪で糊付機本体を支える。
【００２０】
このような脚部は、脚部が折り畳まれた収納状態においては、キャスターを含めた脚部構成の全てが糊付機本体の下方に投影された領域外にはみ出して収納されることなく、脚部の構成の全てが糊付機本体の直下領域内に収納されるような構成とすることにより、例えば、作業現場への移送の際に積荷面積が小さくなる利点がある。本発明の脚部においては、左右の少なくとも２つのキャスター車輪の間隔が広がっている方が前後方向への傾倒に対して安定性が増す。しかしながら、開脚状態でのキャスター支持部の前後方向の長さを大きくし、少なくとも２つのキャスター車輪の間隔を開けて配すると、単に主脚部を折りたたんだ状態では、キャスター支持部が糊付機本体の直下領域に対して前後にはみ出して収納されることになる。
【００２１】
そのため、本発明では、糊付機本体の下面側から垂下立設させた開脚状態に前記糊付機本体の前後幅に対して突出して配された前記キャスター支持部の前後端部を、主脚部を糊付機本体の下面側へ折り畳んだ収納状態に前記糊付機本体の下方領域内に収納させるキャスター支持部収納手段を備えることにより、脚部の構成の全てが糊付機本体の直下領域内に収納され、作業現場への移送の際に積荷面積が小さくなる。
【００２２】
このようなキャスター支持部収納手段としては、キャスター支持部の前後端部を伸縮して糊付機本体の直下領域内に収納するように構成してもよいし、好ましい態様としては、一対のキャスター支持部の各々を一対の主脚部の折り畳み方向に対して直行する面内を回転自在に軸支する支持部軸心と、主脚部を糊付機本体の下面側へ折り畳んだ収納状態と、糊付機本体の下面側から垂下立設させた開脚状態との間で、キャスター支持部を主脚部に対して支持部軸心を中心にして対向して略１／４回転させる支持部回転手段と、収納状態と開脚状態とのキャスター支持部を主脚部に対して回動不能に固定するロック手段とを備えることにより、折り畳み時にはキャスターを支持するキャスター支持部の長手方向が脚部の長手方向に揃い、キャスターを含めた脚部構成の全てが壁紙糊付機本体の直下領域内にはみ出して収納されることなく、脚部の構成の全てが糊付機本体の直下領域内に収納される。尚、本発明の支持部軸心は、主脚部の折り畳み方向に対して直行する面内を回転自在に軸支する。
【００２３】
本発明の支持部回転手段としては、好ましくは、主脚部と糊付機下部構体との回動軸と相違する位置に設けられた作用軸に一端部が支持され、この作用軸を中心に主脚部に沿って前記収納状態と開脚状態との間を回動する回動フレームと、この回動フレームの他端部が前記キャスター支持部の支持部軸心から離れた位置に軸支され、前記支持部の回動に伴って前記支持部軸心を中心にして対向して略１／４回転させる回動フレーム軸心とを備える。
【００２４】
本発明の主脚部回動手段としては、好ましくは、主脚部に掛止して主脚部の回動を阻止する１つのストッパーと、主脚部に掛止して主脚部の回動を阻止する掛止位置と前記主脚部に係合しない解除位置との間でのみストッパーを動作可能とするストッパーガイドと、ストッパーを掛止位置へ付勢する付勢手段とを備え、
前記主脚部が、前記ストッパーに対して収納状態で掛止される第１被掛止部と、開脚状態で掛止される第２被掛止部とを備えることにより、開脚状態と収納状態とでこれら状態を保持する充分なロック機構を備えることができ、しかも、同じ動作でこれらロック状態を解除することができる。
【００２５】
これにより、開脚状態から糊付機本体の下面側へ折り畳んだ収納状態に主脚部を回動する間に、主脚部のキャスター支持部が支持部軸心を中心にして略１／４回転するため、一人の作業者であっても、収納状態から糊付機本体の下面側から垂下立設させた開脚状態に主脚部を回動する間に、キャスター支持部の長手方向が主脚部と垂直になって糊付機本体の前後方向に伸びた状態となるため、安定した開脚状態とすることができ、逆に開脚状態から主脚部を折り畳む間に主脚部のキャスター支持部が支持部軸心を中心にして略１／４回転するため、一人の作業者であっても収納状態とすることができる。
【００２６】
本発明のストッパーとしては、主脚部に掛止して主脚部の回動を阻止するものであればよく、ストッパーガイドによって主脚部の回動を阻止する掛止位置と脚部に係合しない解除位置との間で動作するものであり、好ましくは付勢手段で掛止位置へ付勢されるものであればよい。より好ましくは、ワンアクションで右又は左の主脚部の主脚部回動手段を操作できるように、左右両脚部が各々の台座部の前後両端下部に前後脚部を備え、この脚部回動手段が左右両主脚部の各々に備わり、ストッパーが左右両主脚部の各々で主脚部に渡されているものが挙げられる。
【００２７】
本発明の一対の主回動軸としては、糊付機の左右の側板の下部に設けられ、一対の主回動部の各々の前後部に前記主回動部の形成された高さ位置よりも低く収納状態に床面と接触する接地部が形成されている。これにより、主脚部が収納状態であっても糊付機本体の左右の側板の下部の接地部が床面に接地するため、収納したキャスター、キャスター支持部、主脚部が床面に接地することがなく、収納状態での放置による主脚部回動手段等への影響が少なくなる。
【実施例】
【００２８】
１．全体構成
図１は本発明の一実施例の脚部構造を備えた壁紙糊付機の側方構成を示す説明図である。図２は図１の壁紙糊付機の本体部の側方構成を示す説明図である。図３は図１の壁紙糊付機の斜視図である。図４は図１の壁紙糊付機の別の方向からの斜視図である。尚、図３、図４は一方の脚部が折り畳んだ状態を示す。
【００２９】
図１に示す通り、本実施例の壁紙糊付機は、糊付機本体１と、この糊付機本体１の左右両側板１１端下部に配された一対の脚部２とからなる。糊付機本体１は、糊桶５を主とする下部構体３とその上に開閉可能に載置される上部構体４とによって構成される。一方の側板１１の下部構体３にはコントローラ６が装着され、下部構体３の後面側には着脱可能なスリッター７が配され、上部構体４はこの下部構体３の上部を覆うように配されている。
【００３０】
図２に示す通り、コントローラ６内の駆動源（図示せず）の駆動軸による糊付けローラ３１の回転に伴って、ギアを介して回転運動が伝達された他のローラも回転し、上下部構体３，４間に挟み込まれているロールＲから一端が解けたクロスＣを後方から前方へ搬送し、その途中で糊付けローラ３１上を搬送される際に糊桶５から引き上げられた糊がクロス裏面に転写塗布される。
【００３１】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に転写する。
【００３２】
糊付けローラ３１は、糊付機本体１に着脱自在に取付けられる駆動源である電動モータを備えたコントローラ６の駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００３３】
尚、壁紙糊付機の両側部には、ドクターローラ３３の回動軸に偏心して固定された偏心ギア３５と、一端が偏心ギア３５の歯部に噛合する歯形部３６を形成し、他端が把手部３７を形成し、糊付機本体側面の軸心３８によって取り付けられたレバー３９とを備えている。レバー３９は軸心３８を支点として上下に回動可能となっている。また、把手部３７の前端には固定ネジが備えられ、所望の位置でこの固定ネジを締着させることにより、レバー３９を固定してレバーの回動を禁止するようになっている。
【００３４】
この壁紙糊付機では、把手部３７を上下方向に回動させると、歯形部３６が把手部３７と逆方向に回動し、これに伴って偏心ギア３５が糊付機本体の前面側あるいは後面側に回動する。この結果、偏心ギア３５によって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３５】
図１〜図４に示す通り、糊付機本体１の側壁１１と主脚部２との接続は、側壁１１の下部中央部に設けられた左右一対の脚部保持部材１２によってなされている。脚部保持部材１２は左右で対称である。左右一対の主脚部２には、クロス受けブラケット８１が回動自在に配されており、クロス受けブラケット８１の先端部には、原反ロールＲの中心に通されたクロス芯棒８２が軸支されている。
【００３６】
原反ロールＲから繰り出される壁装材（クロス）Ｃは、主脚部２の中央位置に横架された第１テンションバー８３に当接してスリッター７のクロスＣを沿わせて搬送する搬送通路となるガイド面部７２と共同して、糊付機本体１の引き込み口での引き込み荷重が与えられ、回転刃７１によってクロスの両側部が切断される。
【００３７】
２．支持構造
図５は脚部の構成を説明する正面図であり、破線円部の拡大図を含む。図６は開脚及び収納時のキャスター支持部の挙動を示す説明図であり、ａ図は開脚時の主脚部とキャスター支持部との状態、ｂ図は収納時の主脚部とキャスター支持部との状態を示す。
【００３８】
左右一対の主脚部２は側壁１１の下部中央部に設けられた左右一対の脚部保持部材１２で、糊付機本体１の下面側から垂下立設させた開脚状態と、糊付機本体の下面側へ折り畳んだ収納状態との間で折り畳み動作する。また、主脚部２の下端部にはキャスター支持部２１が支持部軸心２２を中心にして主脚部２の折り畳み方向に対して直行する面内を回転自在に軸支されている。
【００３９】
左右一対の脚部保持部材１２は、左右で対称な構成を採る。各々の脚部保持部材１２は、主脚部２の上端部を軸支する主回動軸１３と、主脚部２の上端の外方側壁である第１被掛止部１４と、主脚部２の上端部から内方側壁方向に突設された掛止片１５の傾斜下方面である第２被掛止部１６とに掛止して脚部の回動を阻止する１つのストッパー１７と、ストッパー１７を糊付機本体１の側壁１１外方から操作するための杆部１８と、主脚部２の回動を阻止する位置と回動を阻止しない位置との間でのみストッパー１７を動作可能とするストッパーガイドとしての長孔１９とを備える。尚、ストッパー１７は図示しない付勢手段によって回動を阻止する位置に常に付勢されている。
【００４０】
脚部保持部材１２には、更に、キャスター支持部２１を略１／４回転する支持部回転手段として、主回動軸１３の内側上部位置に設けられた作用軸２３と、この作用軸２３に上端が支持されて、この作用軸２３を中心に主脚部２に沿って収納状態と開脚状態との間を回動する回動フレーム２４とを備える。
【００４１】
具体的な動作を説明するならば、図４及び図６に示す通り、主脚部２の内側に配された回動フレーム２４は、Ｓ字状に曲折された主脚部２に沿ったＳ字状であり、その回動フレーム２４の下端部はヒンジ部２６で略９０°〜１８０°に曲折可能な第１及び第２アーム部２７，２８の第１アーム部２７の上端部に軸支されている。この第１アーム部２７の中央部は主脚部２と回動軸２５で回動自在に軸支されている。第２アーム部２８は下端部がキャスター支持部２１の支持部軸心２２とは相違するフレーム軸２９でキャスター支持部２１と軸支されている。
【００４２】
この脚部の機構により、一人の作業者であってもキャスターを含めた脚部構成の全てが糊付機本体１の直下領域内に収納可能であり、折り畳み時にはキャスターを支持するキャスター支持部２１の長手方向が主脚部２の長手方向に揃い、立脚時にはキャスター支持部２１が回動して糊付機本体１に対して垂下して立設するように回動することができる。
【００４３】
即ち、図５の収納状態の脚部保持部材１２において、側壁１１外方に突出された杆部１８を押し下げて、ストッパー１７を第２被掛止部１６から外し、糊付機本体１を情報に持ち上げることにより、主脚部２が自重により開脚するキャスター支持部２１は図６のｂ図のようにキャスター支持部２１の長手方向が主脚部２の長手方向に揃った状態になっているため、２対のキャスターの内の先端部のキャスターが床面に当接しながら立脚状態へと移行する。
【００４４】
その際、回動フレーム２４は主回動軸１３と相違する位置の作用軸２３で主脚部２に沿って回動するため、回動フレーム２４は図６のｂ図の破線で示した状態へ徐々に移動（ｂ図の上方へ徐々に移動）する。これにより、第１アーム部２７が回動軸２５で回動しつつヒンジ部２６を伸ばす。これにより、キャスター支持部２１が主脚部２に対して徐々に直交するように移動し、略１／４回転させる。
【００４５】
立脚状態になると、図５の立脚状態の図に示す通り、下方に付勢されているストッパー１７が第１掛止部１４に掛止される。また、図６のａ図に示す通り、回動フレーム２４が上方に引き上げられて、第１アーム部２７と第２アーム部２８とのヒンジ部２６が略直線状になり、キャスター支持部２１が主脚部２に対して略直交する。
【００４６】
また、立脚状態から収納状態は前述の逆の動作により、キャスター支持部２１の長手方向が主脚部２の長手方向に揃った状態で糊付機本体１の直下領域内に収納される。尚、糊付機本体１の直下領域内に主脚部２及びキャスター支持部等の脚部構造の全てをはみ出さずに収納するために、糊付機本体１の左右の側板１１の脚部保持部材１２を挟んだ前後部には、主回動部１３の形成された高さ位置よりも低い位置で収納状態時に床面と接触する接地部３０が形成されている。
【００４７】
３．他の支持構造(1) 
図７は他の支持構造を示す説明図である。図７に示す通り、主脚部１０２は前述の支持構造と同様に糊付機本体の左右一対の側壁（不図示）の各々の下部中央部に設けられた左右一対の脚部保持部材（不図示）で、糊付機本体の下面側から垂下立設させた開脚状態と、糊付機本体の下面側へ折り畳んだ収納状態との間で折り畳み動作する。また、主脚部１０２の下端部にはキャスター支持部１２１が支持部軸心１２２を中心にして主脚部１０２の折り畳み方向に対して直行する面内を回転自在に軸支されている。
【００４８】
本実施例の脚部保持部材でも、キャスター支持部１２１を略１／４回転する支持部回転手段として、主回動軸の内側上部位置に設けられた作用軸と、この作用軸に上端が支持されて、この作用軸を中心に主脚部１０２に沿って収納状態と開脚状態との間を回動する回動フレーム１２４とを備える。
【００４９】
前述の支持構造と本実施例との相違は回動フレーム１２４の下端部の構造のみである。即ち、本実施例では、第１及び第２アーム部はなく、直接回動フレーム１２４の下端部がキャスター支持部１２１の支持部軸心１２２とは相違するフレーム軸１２９でキャスター支持部１２１と軸支されている。
【００５０】
この脚部の機構により、前述の支持構造と同様に、一人の作業者であってもキャスターを含めた脚部構成の全てが糊付機本体の直下領域内に収納可能であり、折り畳み時にはキャスターを支持するキャスター支持部１２１の長手方向が主脚部１０２の長手方向に揃い、立脚時にはキャスター支持部１２１が回動して糊付機本体に対して立設するように回動することができる。
【００５１】
４．他の支持構造(2) 
図８は更に他の支持構造を示す説明図であり、ａ図は主脚部の正面図、ｂ図はキャスター支持部の水平断面図である。本実施例では、回動フレームを有さず、主脚部２０２の糊付機本体の側壁の脚部保持部材（不図示）での回動と、キャスター支持部２２１の主脚部２０２の支持部軸心１２２での回動とが連動しない実施例を示す。
【００５２】
図８に示す通り、主脚部２０２は前述の支持構造と同様に糊付機本体の左右一対の側壁（不図示）の各々の下部中央部に設けられた左右一対の脚部保持部材（不図示）で、糊付機本体の下面側から垂下立設させた開脚状態と、糊付機本体の下面側へ折り畳んだ収納状態との間で折り畳み動作する。また、主脚部２０２の下端部にはキャスター支持部２２１が支持部軸心２２２を中心にして主脚部２０２の折り畳み方向に対して直行する面内を回転自在に軸支されている。
【００５３】
キャスター支持部２２１の支持部軸心２２２での回動は、水平位置と１／４回転位置との２つの位置間を回動し、各々の位置でストッパー２２３でロックされる。ストッパー２２３は前端部がキャスター支持部２２１の前端に突出したフック形状であり、このフック形状の前端部を作業者が前方方向に引き出すことにより、２つのロック位置でのロックが解除される。
【００５４】
従って、例えば、開脚状態から収納状態に移行するには、先ず主脚部２０２のロックを解除して折り畳んだ状態とした後、キャスター支持部２２１のストッパー２２３を引き出してロックを解除し、主脚部２０２に対して１／４回転させて、収納状態とする。逆に、収納状態において、ストッパー２２３を引き出してロックを解除して、キャスター支持部２２１を１／４回転して主脚部２０２に対してロックさせた後に、主脚部２０２を糊付機本体に対して立脚させた状態とする。
【符号の説明】
【００５５】
１  …糊付機本体、
１１…側板、
１２…脚部保持部材、
１３…主回動軸、
１４…第１被掛止部、
１５…掛止片、
１６…第２被掛止部、
１７…ストッパー、
１８…杆部、
１９…長孔、
２  …主脚部、
２１…キャスター支持部、
２２…支持部軸心、
２３…作用軸、
２４…回動フレーム、
２５…回動軸、
２６…ヒンジ部、
２７…第１アーム部、
２８…第２アーム部、
２９…フレーム軸、
３  …下部構体、
３０…接地部、
３１…糊付けローラ、
３２…下ピンチローラ、
３３…ドクターローラ、
３４…均しローラ、
３５…偏心ギア、
３６…歯形部、
３７…把手部、
３８…軸心、
３９…レバー、
４  …上部構体、
４１…上ピンチローラ、
４２…押さえローラ、
４３…ドライブローラ  
４４…取手、
５  …糊桶、
５１…糊上げローラ、
６  …コントローラ、
７  …スリッター、
７１…回転刃、
７２…ガイド面部、
８１…クロス受けブラケット、
８２…クロス芯棒
８３…第１テンションバー、
Ｃ  …クロス、
Ｒ  …原反ロール、
１０２…主脚部、
１２１…キャスター支持部、
１２２…支持部軸心、
１２４…回動フレーム、
１２９…フレーム軸、
２０２…主脚部、
２２１…キャスター支持部、
２２２…支持部軸心、
２２３…ストッパー
【図１】
2010274474.tif 000003
【図２】
2010274474.tif 000004
【図３】
2010274474.tif 000005
【図４】
2010274474.tif 000006
【図５】
2010274474.tif 000007
【図６】
2010274474.tif 000008
【図７】
2010274474.tif 000009
【図８】
2010274474.tif 000010